(57)【要約】【課題】簡単な構成で待機電力を低減できる給湯機を提供すること。【解決手段】スイッチング電源２と、制御手段３と、電圧切り替え手段４と、流量センサー５と、給湯制御負荷６と、有線リモコン９とを備え、流量センサー５と、給湯制御負荷６と、有線リモコン９が全て待機となったとき、制御手段３は電圧切り替え手段４を低電圧に切り替える。切り替える低電圧時の設定は、制御手段３と有線リモコン９と流量センサー５が動作可能な電圧に設定しており、低電圧時も待機からの復帰条件を監視しているのですぐに待機状態から復帰できる。【選択図】図１
2012097908.tif 000002
【特許請求の範囲】
【請求項１】
複数の給湯制御負荷と、給湯流量を検出する流量センサーと、各種設定および状態表示をおこなう有線リモコンと、前記有線リモコン、前記流量センサーの信号により前記給湯制御負荷の制御を行う制御手段と、前記有線リモコン、前記流量センサー、前記給湯制御負荷、前記制御手段へ電源を供給するスイッチング電源と、前記スイッチング電源の出力電圧を定常電圧と低電圧に切り替える電圧切り替え手段とを備え、前記制御手段は、前記給湯制御負荷、前記有線リモコン、前記流量センサーが待機状態のとき、前記電源切り替え手段を、前記制御手段と前記有線リモコンと前記流量センサーとが動作可能な低電圧に切り替えることを特徴とする給湯機。
【請求項２】
前記制御手段は、前記電源切り替え手段が低電圧側のとき、前記流量センサーからの信号を検出したとき、または、前記有線リモコンから待機からの復帰信号を受けたとき、または、前記給湯制御負荷を動作させるときのいずれか１つ以上の条件が満たされたとき、前記切り替え手段を定常電圧に切り替えることを特徴とする請求項１に記載の給湯機。
【請求項３】
前記スイッチング電源と前記給湯制御負荷の制御電源およびセンサー電源間に、電源遮断手段を配置し、前記制御手段は前記給湯制御負荷、前記有線リモコン、前記流量センサーが待機状態のとき、前記電源遮断手段を遮断することを特徴とする請求項１または２記載の給湯機。
【請求項４】
前記制御手段は、前記電源遮断手段を遮断側のとき、前記流量センサーからの信号を検出したとき、または、前記有線リモコンから待機からの復帰信号を受けたとき、または、前記給湯制御負荷を動作させるときのいずれか１つ以上の条件が満たされたとき、前記電源遮断手段を復帰させることを特徴とする請求項３に記載の給湯機。
【発明の詳細な説明】
【技術分野】
【０００１】
本発明は、待機時消費電力を低減させる制御装置を備えた給湯機に関するものである。
【背景技術】
【０００２】
従来、この種の給湯機の制御装置においては、配管に設けられた混合弁等の制御弁、循環ポンプ、流量センサー、水位センサー、有線リモコンなど複数の負荷、センサーへ電源供給を行っている。運転停止時に負荷、センサーが不用なときにおいても各負荷、各センサー内臓のＩＣ等には待機電流が流れており合計すると無視できない電力となっている。
【０００３】
また、この待機電力を低減するために、各種制御弁、流量センサー、水位センサー、ヒートポンプ通信回路などの機能部品について、いくつかのグループにグループ分けし、分類した複数のグループについてグループ単位で通電を制御するものが提案されている。（例えば、特許文献１参照）
【先行技術文献】
【特許文献】
【０００４】
【特許文献１】特開２００６−３４９２７３号公報
【発明の概要】
【発明が解決しようとする課題】
【０００５】
しかしながら、前記従来の構成ではグループ単位で負荷電源を制御させるための、駆動素子と制御を行うマイコンの制御ポートが複数必要となり、複雑になるという問題があった。
【０００６】
また、待機時にグループ単位でセンサー電源を遮断するため、センサーの値を検出できないため定期的に通電したり、異常検知しないような特別な処理が必要となる。
【０００７】
本発明は、前記従来の課題を解決するもので、簡単な構成で待機電力を低減できる給湯機を提供することを目的とする。
【課題を解決するための手段】
【０００８】
前記従来の課題を解決するために、本発明の給湯機は、複数の給湯制御負荷と、給湯流量を検出する流量センサーと、各種設定および状態表示をおこなう有線リモコンと、前記有線リモコン、前記流量センサーの信号により前記給湯制御負荷の制御を行う制御手段と、前記有線リモコン、前記流量センサー、前記給湯制御負荷、前記制御手段へ電源を供給するスイッチング電源と、前記スイッチング電源の出力電圧を定常電圧と低電圧に切り替える電圧切り替え手段とを備え、前記制御手段は、前記給湯制御負荷、前記有線リモコン、前記流量センサーが待機状態のとき、前記電源切り替え手段を、前記制御手段と前記有線リモコンと前記流量センサーとが動作可能な低電圧に切り替えることを特徴とするものである。
【０００９】
これによって、制御手段、各負荷、各センサー内臓のＩＣ等への電源電圧が低電圧に切り替わるため、（電圧低下分）×（制御手段、各負荷、各センサー、有線リモコンの待機電流）分の電力を削減できる。
【発明の効果】
【００１０】
本発明によれば、簡単な構成で待機電力を低減できる給湯機を提供できる。
【図面の簡単な説明】
【００１１】
【図１】本発明の実施の形態１における給湯機の制御装置の構成図
【図２】本発明の実施の形態１における給湯機の制御装置のフローチャート
【発明を実施するための形態】
【００１２】
第１の発明は、複数の給湯制御負荷と、給湯流量を検出する流量センサーと、各種設定および状態表示をおこなう有線リモコンと、前記有線リモコン、前記流量センサーの信号により前記給湯制御負荷の制御を行う制御手段と、前記有線リモコン、前記流量センサー、前記給湯制御負荷、前記制御手段へ電源を供給するスイッチング電源と、前記スイッチング電源の出力電圧を定常電圧と低電圧に切り替える電圧切り替え手段とを備え、前記制御手段は、前記給湯制御負荷、前記有線リモコン、前記流量センサーが待機状態のとき、前記電源切り替え手段を、前記制御手段と前記有線リモコンと前記流量センサーとが動作可能な低電圧に切り替えることを特徴とする給湯機である。
【００１３】
これにより、前記制御手段および前記センサーを動作させたまま、定常電圧と低電圧の差分の電圧分の電力が低減できる。
【００１４】
第２の発明は、第１の発明の給湯機において、前記制御手段は、前記電源切り替え手段が低電圧側のとき、前記流量センサーからの信号を検出したとき、または、前記有線リモコンから待機からの復帰信号を受けたとき、または、前記給湯制御負荷を動作させるときのいずれか１つ以上の条件が満たされたとき、前記切り替え手段を定常電圧に切り替えることにより、前記給湯制御負荷および前記有線リモコンを定常状態に復帰できる。
【００１５】
第３の発明は、前記スイッチング電源と前記給湯制御負荷の制御電源およびセンサー電源間に、電源遮断手段を配置し、前記制御手段は前記給湯制御負荷、前記有線リモコン、前記流量センサーが待機状態のとき、前記電源遮断手段を遮断することにより、１つの遮断手段で、前記給湯制御負荷の制御電源およびセンサー電源で消費している電力を低減できる。
【００１６】
第４の発明は、前記制御手段は、前記電源遮断手段を遮断側のとき、前記流量センサーからの信号を検出したとき、または、前記有線リモコンから待機からの復帰信号を受けたとき、または、前記給湯制御負荷を動作させるときのいずれか１つ以上の条件が満たされたとき、前記電源遮断手段を復帰させることにより、前記給湯制御負荷および前記有線リモコンを定常状態に復帰できる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における給湯機の制御装置の制御ブロック図である。
【００１９】
図１において、１は給湯機の制御装置、２は制御装置１内の電源を供給するスイッチング電源、３は制御手段、４はスイッチング電源の出力電圧を定常電圧と低電圧に切り替える電圧切り替え手段で制御手段３からの信号で切り替わる。５は給湯流量を検出する流量センサーで制御手段３に流量信号を送る。６は給湯混合弁や循環ポンプ等の給湯制御負荷で制御手段３の信号で駆動される。
【００２０】
７は給湯制御負荷内の制御負荷のセンサー部で検出信号を制御手段３へ送る。８は制御
手段３からの信号によりスイッチング電源２から制御負荷のセンサー部７への電源供給を遮断する電源遮断手段、９は給湯機の制御手段３と双方向通信を行い制御装置１の状態表示や設定を行う有線リモコンである。電圧切り替え手段４で切り替える低電圧時の設定電圧は、制御手段３、有線リモコン９、流量センサー５、制御負荷のセンサー部７が動作可能な電圧に設定している。
【００２１】
次に制御手段３の動作を説明する。図２は本発明の実施の形態１における給湯機の制御装置のフローチャートである。
【００２２】
ステップ１では、給湯制御負荷が停止しているかどうかを判定し、給湯負荷停止でなければステップ５へ進みスイッチング電源は定常電圧、電源遮断手段は復帰し通常動作となる。給湯負荷停止であれば、ステップ２へ進む。
【００２３】
ステップ２では、有線リモコン待機かどうかを判定し、有線リモコン待機でなければステップ５へ進みスイッチング電源は定常電圧、電源遮断手段は復帰し通常動作となる。有線リモコン待機であれば、ステップ３へ進む。
【００２４】
ステップ３では、流量センサー待機かどうかを判定し、流量センサー待機でなければステップ５へ進みスイッチング電源は定常電圧、電源遮断手段は復帰し通常動作となる。流量センサー待機であれば、ステップ４へ進み、スイッチング電源は低電圧、電源遮断手段は遮断し待機動作となる。
【００２５】
以上のように、本実施の形態においては給湯負荷停止、かつ有線リモコン待機、かつ流量センサー待機の条件が満足するとき、スイッチング電源は低電圧、電源遮断手段は遮断し待機動作となり、待機電力の低減を図ることができる。
【００２６】
また、低電圧時の電圧は制御手段、有線リモコン、流量センサーが正常に動作する値に設定してあり通常の動作が行え、給湯負荷停止、有線リモコン待機、流量センサー待機の条件が１つでも満足できなくなるとスイッチング電源は定常電圧、電源遮断手段は復帰となり通常の動作に戻ることができる。
【００２７】
なお、本実施の形態において給湯負荷、流量センサー、有線リモコンはそれぞれ１つしか記載していないが、複数であっても同様の動作にすることができる。
【産業上の利用可能性】
【００２８】
以上のように、本発明にかかる給湯機は、全負荷とリモコンと流量センサーが待機状態になっとき、制御電源の電圧を低電圧に切り替えるため、制御手段およびセンサーを動作させたまま、電圧低下分の電力を低減することができるので、電気、ガス、石油等の給湯機、燃料電池など様々な給湯方式の用途にも適用できる。
【符号の説明】
【００２９】
１  制御装置
２  スイッチング電源
３  制御手段
４  電圧切り替え手段
５  流量センサー
６  給湯制御負荷
７  給湯制御負荷内の制御負荷のセンサー部
８  電源遮断手段
９  有線リモコン
【図１】
2012097908.tif 000003
【図２】
2012097908.tif 000004